(57)【要約】【課題】極めて簡単な構造でありながら、強引かつ粗暴な押し入り強盗の侵入にも十分対抗することができ、形状、デザイン等の意匠性を損なうことなく防犯上のより高い付加価値を有する鋼製ドアを提供する。【解決手段】表裏一体をなす鋼製ドア１を、所要の見込み幅を有する屋内側パネル７と屋外側パネル６で構成するに、上記各パネル６、７の内側面間で形成される空間部Ａに防音芯材Ｂを充填し、かつ各パネル６、７のうち、少なくとも一方のパネルのドア構成部材の取付部を除く内側面全域と防音芯材Ｂとの間に、当該パネルの板厚より厚い高硬度の金属板１５を張設した。【選択図】  図４
2005016056.tif 000002
【特許請求の範囲】
【請求項１】
表裏一体をなす鋼製ドアを、所要の見込み幅を有する屋内側パネルと屋外側パネルで構成するに、上記各パネルの内側面間で形成される空間部に防音芯材を充填すると共に、上記各パネルのうち、少なくとも一方のパネル内のドア構成部材の取付部を除く内側面全域と防音芯材との間に、当該パネルの板厚より厚い高硬度の金属板を張設したことを特徴とする鋼製ドアの防犯構造。
【請求項２】
上記金属板は、ドア構成部材の取付部を除く屋内側パネルの内側面全域に張設されていることを特徴とする請求項１記載の鋼製ドアの防犯構造。
【発明の詳細な説明】
【０００１】
【発明の属する技術分野】
本発明はマンション、高層建築等の出入り口に設けられる開きドアとして採用される鋼製ドアに関し、特に防犯機能を大幅に強化した鋼製ドアの防犯構造に関するものである。
【０００２】
【従来の技術】
従来、所要の見込み幅を有する屋内側パネルと屋外側パネルにより表裏一体をなして構成される鋼製ドアでは、当該ドアの取手部に併設した施錠機構と、これとは別に設けられる施錠機構を複数併用して防犯機能を持たせるようにしたものが知られているが、近年増加している「押し入り強盗」の大半は、上記防犯機能を有する鋼製ドアを採用した玄関などの出入り口から侵入しており、その侵入方法としては、鍵の代用となる特殊工具を鍵穴に差し込んで解錠する「ピッキング」のほかに「カム送り解錠」、「バイパス解錠」があるが、上記のような侵入行為は５分以上の時間を要すると侵入をあきらめると一般的に云われており、これに基づいて、種々の侵入方法に対抗できる新しい施錠機構の開発も急ピッチで行われている。
【０００３】
一方、上述した押し入り強盗の侵入方法は、施錠機構の構造を巧みに利用して解錠する、いわば「知能犯」的な所作が特徴であるが、最近では、これらの方法とは別に、電動あるいは手動のドリルを使って施錠機構を破壊したり、同じくドリルを使って手が入る程度の大きさの貫通孔をドア面に明け、そこから手を入れて解錠を行った後に屋内に侵入する、という強引かつ粗暴な押し入り強盗の侵入方法が露見され、これに対抗するために、屋内側パネルと屋外側パネルの板厚を厚くすると、製造工程におけるプレス加工性の低下や、形状、デザイン等の意匠性も制限されるという背反する問題を内包し、鋼製ドアの生産効率を確保しつつ、より高い防犯機能を有する鋼製ドアの出現が熱望されていた。
【０００４】
【発明が解決しようとする課題】
本発明は、上記の如き実状に鑑み鋼製ドアにおける防犯機能の更なる向上を目指す研究、開発の過程で創案されたものであって、その目的とするところは、極めて簡単な構造でありながら、強引かつ粗暴な押し入り強盗の侵入にも十分対抗することができ、形状、デザイン等の意匠性を損なうことなく防犯上のより高い付加価値を有する鋼製ドアの防犯構造を提供しようとするものである。
【０００５】
【課題を解決するための手段】
課題を解決するため、本発明が採用した第１の技術的手段は、表裏一体をなす鋼製ドアを、所要の見込み幅を有する屋内側パネルと屋外側パネルで構成するに、上記各パネルの内側面間で形成される空間部に防音芯材を充填すると共に、上記各パネルのうち、少なくとも一方のパネルの内側面全域と防音芯材との間に、当該パネルの板厚より厚い高硬度の金属板を張設したことを特徴とするものである。
【０００６】
本発明が採用した第２の技術的手段は、上記金属板は、屋内側パネルの内側面全域に張設されていることを特徴とするものである。
【０００７】
【発明の実施の形態】
本発明の実施の形態を、添付図面に基づいて詳細に説明する。
図において、１は住宅の玄関に設けられる鋼製ドアであって、該鋼製ドア１は、左右縦枠２と上下枠３、４からなる金属製四周枠５に、所要の板厚（実施の形態では０．６ｍｍの板厚）を有する金属製の屋外側パネル６と屋内側パネル７を表裏のドア面全域に張設してなり、金属製四周枠５の周縁に位置する各パネル６、７の端縁は見込み幅方向に折曲され、リベット８、８…を介して金属製四周枠５の端面に該各パネル６、７の端縁を面着固定することにより鋼製ドア１が構成されている。
【０００８】
上記鋼製ドア１内部の空間部Ａには、図２に示すように、上枠３の吊り元側に位置して形成されたドアクローザー取付部１０、下枠４の戸先側に位置して形成された開放固定用の金具取付部１１および後述する錠前装着部１３を除いて、遮音、防音機能を有する防音芯材Ｂが当該空間部Ａの略全域に亘る上下の空間部Ａ１、Ａ２、Ａ３に三部材として突き合わせ部９、９を介してそれぞれ充填されている。
【０００９】
なお、１２は吊り元側の縦枠２の上下位置三箇所に装着固定された蝶番、１３は戸先側の縦枠２に近接して空間部Ａ２に内装される施錠機構の錠前装着部、１４は上段の空間部Ａ１の中央に設けられた透視レンズ装着部である。
【００１０】
ここで、本発明では特に、屋内側パネル７の内側面において、防音芯材Ｂとの間で、図３および図４に示すように、当該屋内側パネル７の板厚より厚い高硬度の金属板１５が、接着剤（図示せず）を介して当該パネル７の内側面に張設されている。
【００１１】
すなわち、上記金属板１５は、オーステナイト系ステンレス鋼板（本実施の形態では板厚１．５ｍｍのＳＵＳ３０４を使用）からなり、ドアクローザー取付部１０のライナー部１０ａ、金具取付部１１のライナー部１１ａおよび錠前装着部１３の各装着位置を除く屋内側パネル７の内面全域を覆うように張設される。そして、一般的に上記の各ドア構成部材は防犯上の理由で屋内側から装着するため、理想的には屋内側パネル７および屋外側パネル６の双方の内側面に金属板１５をそれぞれ張設する構成が防犯上望ましいが、鋼製ドア１の重量増大、製造コストの増加等を鑑み、また、屋外側パネル６ではデザインや意匠性が重視され、そのための装飾加工が施された当該屋外側パネル６の内側面は単純な平坦とならず、金属板１５の張設に適さないので、本発明の実施の形態においては、鋼製ドア１の屋内側パネル７側に金属板１５を張設することにより、必要かつ十分な防犯機能を鋼製ドア１に付与する構成となっている。
【００１２】
本発明の鋼製ドア１は叙上の如く構成されているから、これを採用した建物開口部において、電動あるいは手動のドリルを使って侵入行為を試みても、屋外側パネル６および防音芯材Ｂは比較的短時間で貫通させることができるが、その先の屋内側パネル７は、これに張設した金属板１５の存在により貫通に手間取るため、侵入者は侵入をあきらめる結果となり、強引かつ粗暴な押し入り強盗を未然に防止することができる。
【００１３】
なお、本実施の形態で示した板厚０．６ｍｍの屋内側パネル６および屋外側パネル７と、板厚１．５ｍｍのオーステナイト系ステンレス鋼板（ＳＵＳ３０４）からなる金属板１５を採用した鋼製ドア１では、手動ドリルによる屋外側から屋内側への貫通は不可能であることが実験により知見されている。
【００１４】
更に、金属板１５としては、ＳＵＳ３０４のオーステナイト系ステンレス鋼板に代えて、焼き入れ、焼き戻しの熱処理加工を施して硬度を高めたマルテンサイト系ステンレス鋼板（ＳＵＳ４１０等）や、冷間加工のみで高硬度を得ることができるその他のオーステナイト系ステンレス鋼板（ＳＵＳ３０１等）を採用することにより、電動ドリル、手動ドリルによる穴明け侵入行為に対してより高度な防犯構造を鋼製ドア１に付与することが可能となる。
【００１５】
図５は、前記実施の形態で示した鋼製ドア１の構成において、屋内側パネル７のドアクローザー取付部１０、金具取付部１１および錠前装着部１３の各装着位置を除く内側面全域と、防音芯材Ｂとの間の間に前述の金属板１５を張設するに際し、当該金属板１５を粘弾性高分子樹脂材を介して屋内側パネル７の内面全域に張設した構成を示すものである。
【００１６】
この構成では、金属板１５と屋内側パネル７との間に、振動減衰性能を有する粘弾性高分子樹脂材１６（実施の形態ではポリエチレン樹脂を採用）を密着状に面着固定させて制振板としての機能を持たせており、この様に構成することにより、鋼製ドア１の開閉時、特にドアクローザーによる自動閉鎖時において、ドア枠との衝接、閉作動停止に伴って発生する鋼製ドア１自体の振動を減衰させることができ、鋼製ドア１内に充填した防音芯材Ｂの防音効果と相俟って、騒音の低減、ビリツキの抑制を図ることができる。
【００１７】
【発明の効果】
これを要するに本発明は、表裏一体をなす鋼製ドアを、所要の見込み幅を有する屋内側パネルと屋外側パネルで構成するに、上記各パネルの内側面間で形成される空間部に防音芯材を充填すると共に、上記各パネルのうち、少なくとも一方のパネル内のドア構成部材の取付部を除く内側面全域と防音芯材との間に、当該パネルの板厚より厚い高硬度の金属板を張設したから、鋼製ドアとしての遮音、防音機能を具備するものでありながら、
▲１▼電動あるいは手動のドリルを使って施錠機構を破壊したり、同じくドリルを使って手が入る程度の大きさの貫通孔をドア面に明け、そこから手を入れて解錠を行った後に屋内に侵入するような強引かつ粗暴な押し入り強盗の侵入に対しても、必要かつ十分な防犯構造とすることができ、需要者の期待に添う鋼製ドアを提供することができる。
また上記金属板は、ドア構成部材の取付部を除く屋内側パネルの内側面全域に張設されているから、
▲２▼デザインや意匠性を重視する屋外側パネルの装飾自由度を確保し、鋼製ドアとしての個性や商品価値を高めて商品選択の幅を拡げつつ、防犯機能をも併せ持つ鋼製ドアを提供できる。
等という極めて有用な新規的効果を奏するものである。
【図面の簡単な説明】
【図１】鋼製ドアの全体正面図である。
【図２】屋外側パネルを取り外した状態の鋼製ドアの全体正面図である。
【図３】（Ａ）はＡ−Ａ線断面図、（Ｂ）はＢ−Ｂ線断面図、（Ｃ）はＣ−Ｃ線断面図である。
【図４】Ｄ−Ｄ線断面図である。
【図５】（Ａ）は他例の鋼製ドアの横断面図である。（Ｂ）は同上要部拡大断面図である。
【符号の説明】
１      鋼製ドア
６      屋内側パネル
７      屋外側パネル
Ａ      空間部
Ｂ      防音芯材
１５    金属板
【図１】
2005016056.tif 000003
【図２】
2005016056.tif 000004
【図３】
2005016056.tif 000005
【図４】
2005016056.tif 000006
【図５】
2005016056.tif 000007